(57)【要約】　　　（修正有）【課題】減勢槽内への下水等の流入量が小流量であっても、減勢槽底面に堆積した汚泥物等を流し出すことが可能な掃流力を確保できる構造の減勢工の提供。【解決手段】流入口１１及び流出口１２が形成された減勢槽１を備え、その減勢槽１の内部に流入口１１から流入した水の流れを減勢するための減勢手段（減勢壁２）が配置された減勢工において、減勢槽１の流出口１２に接続される流出管１０２の管底を減勢槽の底面１０よりも高い位置に配置し、さらに流入口１１に接続される流入管１０１の管底を流出管１０２の管底よりも高くすることで、小流量時における落差つまり流入管１０１の管底から貯溜水レベル（流出管１０２の管底レベル）までの落差を大きくして、貯溜水への突入流速を速くする。【選択図】図７
2004100284.tif 000002
【特許請求の範囲】
【請求項１】
下水管などの管渠から放流される高速水流を減勢するのに用いられる減勢工であって、
流入口及び流出口が形成された減勢槽を備え、その減勢槽の内部に前記流入口から流入した水の流れを減勢するための減勢手段が配置されているとともに、前記減勢槽の流出口に接続される流出管の管底が減勢槽の底面よりも高い位置に配置され、かつ前記減勢槽の流入口に接続される流入管の管底が流出口に接続される流出管の管底よりも高い位置に配置されていることを特徴とする減勢工。
【請求項２】
前記減勢槽の底面に、前記流入口側から流出口側に向かって延びる導水溝が形成されていることを特徴とする請求項１記載の減勢工。
【請求項３】
前記減勢槽の流出口に接続される流出管として、流出口に対応する口径の流入管路と、この流入管路よりも口径が大きい拡大管路とを有する段付きの流出管が用いられていることを特徴とする請求項１または２に記載の減勢工。
【請求項４】
前記減勢槽内の上部と、流出口に接続される前記流出管内の上部とを連通する排気通路が設けられていることを特徴とする請求項３記載の減勢工。
【請求項５】
前記減勢槽の内部で流入口と対向する位置に減勢壁が配置されされていることを特徴とする請求項１〜４のいずれかに記載の減勢工。
【請求項６】
前記減勢板と流出口との間に堰板が配置されていることを特徴とする請求項５記載の減勢工。
【発明の詳細な説明】
【０００１】
【発明の属する技術分野】
本発明は、傾斜地に配管された下水管（傾斜配管）などの管渠から放流される高速水流を減勢するのに用いられる減勢工（減勢装置）に関する。
【０００２】
【従来の技術】
傾斜地に配管された下水管などから放流される汚水は高速であるため、そのまま放流すると、公共管やポンプ塔などの施設を損傷するおそれがある。このため高速水流のエネルギを減勢する設備を設ける必要がある。
【０００３】
高速水流の放流水脈を減勢する設備として減勢工が知られている。減勢工としては、減勢槽の内部にシルや堰などを設け、傾斜下水管などの管渠から減勢層内に流出する水流の運動エネルギを跳水現象により減勢させる跳水型の減勢工がある（例えば、特許文献１参照。）。
【０００４】
【特許文献１】
特開２００１−３２３５６０号公報
【０００５】
【発明が解決しようとする課題】
ところで、跳水型あるいは他の構造の減勢工においては、減勢槽内の底面に汚泥物等が堆積する可能性がある。減勢槽内において汚泥物等が堆積しても、減勢槽内への下水（汚水・雨水）の流入量が大流量のときに、堆積汚泥物等が槽外に流し出されるので問題はないが、流入量が小流量であるときには、十分な流速（汚泥物等に対する掃流力）が得られないため、堆積汚泥物等が残留してしまう。
【０００６】
本発明はそのような問題点を解決するためになされたもので、減勢槽内への下水等の流入量が小流量であっても、減勢槽底面に堆積した汚泥物等を流し出すことが可能な掃流力を確保できる構造の減勢工の提供を目的とする。
【０００７】
【課題を解決するための手段】
本発明の減勢工は、下水管などの管渠から放流される高速水流を減勢するのに用いられる減勢工であって、流入口及び流出口が形成された減勢槽を備え、その減勢槽の内部に前記流入口から流入した水の流れを減勢するための減勢手段が配置されているとともに、前記減勢槽の流出口に接続される流出管の管底が減勢槽の底面よりも高い位置に配置され、かつ前記減勢槽の流入口に接続される流入管の管底が流出口に接続される流出管の管底よりも高い位置に配置されていることによって特徴づけられる。
【０００８】
本発明の減勢工によれば、減勢槽の流出口に接続される流出管の管底を減勢槽の底面よりも高い位置に配置し、さらに流入口に接続される流入管の管底を流出管の管底よりも高くしているので、小流量時における落差つまり流入管の管底から貯溜水レベル（流出管の管底レベル）までの落差を大きくすることができる。これにより、貯溜水への突入流速が大きくなり、十分な掃流力を確保することができる。
【０００９】
本発明の減勢工において、減勢槽の底面に、流入口側から流出口側に向かって延びる導水溝を形成しておいてもよい。このように導水溝を設けておけば、小流量時において導水溝に沿って流れる水流が発生するので、汚泥物等に対する掃流力を高めることができる。
【００１０】
本発明の減勢工において、減勢槽の流出口に接続される流出管には、流出口に対応する口径の流入管路と、この流入管路よりも口径が大きい拡大管路とを有する段付きの流出管を用いることが好ましい。このような段付きの流出管を用いると次のような効果を達成できる。
【００１１】
まず、流出口の口径は、計画流量に対して（満管になるように）少し小さ目にしてある。これは、減勢槽内の上位上昇を計画的に行い、より減勢効果を得るものであるが、必要以上の抵抗があると、減勢槽内の水位上昇が大きくなりオーバーフローするという問題が生じることがある。これに対して、計画流量に余裕をもたせた段付きの流出管を用いると、下流側の拡大管路内の上部に空間が存在することにより、必要以上の抵抗を生じさせることはない。
【００１２】
また、このような段付きの流出管を用いる場合、流出管内の上部と減勢槽内の上部とを連通する排気通路（例えば排気管）を設けておけば、流出管の拡大管路の水位が上昇することがなくなり、拡大管路が満管となることを防止できる。
【００１３】
本発明の減勢工の具体的な例として、減勢槽の内部で流入口と対向する位置に減勢壁を配置した構成を挙げることができる。また、減勢壁と流出口との間に堰板を配置して、減勢効果を更に高めるという構成を挙げることができる。
【００１４】
なお、本発明の減勢工は、汚水または雨水の各下水、あるいは汚水及び雨水の合流下水のマンホールに適用することができる。
【００１５】
また、本発明の減勢工は、下水用のマンホールに限られることなく、高速水流を放流する各種配管・管渠に設置のマンホール、あるいは高速水流を放流する他の施設にも適用可能である。
【００１６】
【発明の実施の形態】
以下、本発明の実施形態を図面に基づいて説明する。
【００１７】
図１及び図２はそれぞれ本発明の実施形態の中央縦断面図及び平面図である。図３及び図４はそれぞれ図１のＡ−Ａ断面図及びＢ−Ｂ断面図である。
【００１８】
この例の減勢工は、傾斜地に配管された下水管（傾斜配管）の下流側に敷設のマンホールに減勢機能を持たせるための装置であって、減勢槽１とその内部に配置された減勢壁２及び流入ブロック３を備えている。
【００１９】
減勢槽１は、例えばＦＲＰ製で表面（流水表面）にＰＥシート（図示せず）が貼着されている。減勢槽１には流入口１１及び流出口１２が設けられている。流入口１１は、減勢槽１の高さ方向の中央付近に配置されている。流出口１２の底面（流出管１０２の管底）は、減勢槽１の底面１０よりも高い位置に配置されている。
【００２０】
これら流入口１１、流出口１２及び減勢槽１の底面１０の位置関係は、減勢槽１の底面１０に対する流出口１２の底面（流出管１０２の管底）の高さが、例えば１００〜５００ｍｍであり、流出口１２の底面（流出管１０２の管底）に対する流入管１０１の底面（流入管１０１の管底）の高さ（小流量時の落差）が、例えば７５０〜１４００ｍｍである。
【００２１】
減勢槽１には、底面１０の中央（幅方向の中央）に、流入口１１側から流出口１２側に向けて一様断面で延びる導水溝１３が設けられている。導水溝１３の断面形状は逆台形であり、また溝深さは例えば３０ｍｍ程度である。
【００２２】
なお、減勢槽１は、ＦＲＰ等の樹脂製に限られることなく、コンクリート製であってもよい。
【００２３】
減勢壁２は流入口１１に対向した状態で配置されている。減勢壁２は、傾斜壁２１と垂下壁２２とが一体形成されており、その傾斜壁２１が流入口１１に対面している。なお、減勢壁２は減勢槽１の壁体に支持されている。
【００２４】
流入ブロック３は流入口１１の真下に配置されている。流入ブロック３は、小流量の水流が流入口１１から流入した際の流路を形成するためのもので、流入口１１に連なるアール部３１とその下部の傾斜部３２が一体形成されている。
【００２５】
流入ブロック３の幅方向の幅方向の中央部には、アール部３１の上端から傾斜部３２の下端まで一様断面で延びる導水溝３３が設けられている。この導水溝３３は、減勢槽１の導水溝１３と同じ断面形状・深さであり、その先端（傾斜部３２の下端側端部）が減勢槽１の導水溝１３の後端部に繋がっている。
【００２６】
以上の構造の減勢工は、図１に示すように、マンホール（図示せず）内の底部に設置され、減勢槽１の流入口１１に流入管（下水上流管）１０１が接続され、流出口１２に流出管（下水下流管）１０２が接続される。
【００２７】
流入管１０１には、減勢槽１の流入口１１に向けて水平に延びる水平管路１１１が形成されている。
【００２８】
流出管１０２には、減勢槽１の流入口１１に対応する口径（下流の計画流量に相当する口径）の流出管路１２１と、この流出管路１２１よりも口径が大きい拡大管路１２２とが形成された段付きの流出管が用いられる。この段付きの流出管１０２の流出管路１２１の管底面と拡大管路１２２の管底面は互いに一致しており、従って拡大管路１２２の管内頂部は、流出管路１２１の管内頂部に対して口径差（内径差）に相当する分だけ高くなっている。
【００２９】
また、流出管１０２には排気管１０３が接続されている。その排気管１０３の一端は減勢槽１内の上部に連通し、他端が流出管１０２の拡大管路１２２内の上部に連通している。
【００３０】
そして、本実施形態では、図１の設置状態において、流入口１１から減勢槽１内に流入する下水（雨水等）が大流量や中流量である場合、流入水は、流入口１１に対向して設けられた減勢壁２に当たって運動エネルギが減勢される。その減勢後の水流は減勢槽１内を通過して流出口１２から流出管１０２に流出する。また、減勢槽１内への流入水量が大流量や中流量である場合、減勢槽１内での流速が十分に速いので、減勢槽１の底部に堆積している汚泥物等を流出口１２から下流側に流し出すことができる。
【００３１】
一方、減勢槽１内への流入水量が小流量である場合、図５に示すように、流入口１１から減勢槽１内に流入した下水は、流入ブロック３の導水溝３３に沿って落下し、減勢槽１内の貯溜水（液面が流出口１２の底面レベル）に突入して、減勢槽１底面の導水溝１３に沿って流れる。このとき、減勢槽１の流入口１１から貯溜水の液面レベルまでの落差が大きいので、減勢槽１内での流速を、汚泥物等に対する掃流力を得ることが可能な流速（例えば０．３ｍ／ｓ以上）を確保することができる。
【００３２】
また、本実施形態では減勢槽１の流出口１２に、流出管路１２１と拡大管路１２２からなる段付きの流出管１０２を接続しているので、図６に示すように、計画流量に対して流出管路１２１が満管状態となっても、拡大管路１２２内上部に空間の存在する余裕がある流れとなるので、必要以上の抵抗とはならず、減勢槽１内の水位上昇によるオーバーフローが発生することを防止できる。
【００３３】
さらに、流出管１０２の拡大管路１２２内の上部に連通する排気管１０３を設けているので、流出管１０２の拡大管路１２２の水位が上昇することがなく、拡大管路１２２が満管となることを防止できる。
【００３４】
図７〜図９は本発明の他の実施形態を示す図である。図７及び図８はその実施形態の中央縦断面図及び平面図である。図９は図７のＣ−Ｃ断面図である。
【００３５】
この実施形態では、減勢槽１の内部に堰板４を設けて減勢効果をより一層高めたところに特徴がある。
【００３６】
堰板４は減勢壁２と流入口１１との間に配置されている。また、堰板４は、減勢槽１の底面１０との間に空間５をあけた状態で配置されており、減勢槽１内への流入水が少ない（堰板４を越えない水量）場合には、流入水が堰板４に当たらずに、空間５を通じて流出口１２から流出するようになっている。なお、堰板４は、減勢工１の壁体に支持されている。
【００３７】
なお、以上の実施形態では、減勢槽１の流出口１２を減勢壁２（流入口１１）と対向する位置に設けているが、これに限られることなく、例えば図１０に示すように、流出口１２を減勢槽１の側部に設けて、減勢槽１内への流入方向に対して直交する方向に流出するようにしてもよい。
【００３８】
【発明の効果】
以上説明したように、本発明によれば、流入口及び流出口が形成された減勢槽を備え、その減勢槽の内部に前記流入口から流入した水の流れを減勢するための減勢手段が配置された減勢工において、減勢槽の流出口に接続される流出管の管底を減勢槽の底面よりも高い位置に配置し、さらに流入口に接続される流入管の管底を流出管の管底よりも高くしているので、減勢槽内への下水等の流入量が小流量であっても、減勢槽底面に堆積した汚泥物等を流し出すことが可能な掃流力を確保することができる。
【図面の簡単な説明】
【図１】本発明の実施形態の中央縦断面図である。
【図２】本発明の実施形態の平面図である。
【図３】図１のＡ−Ａ断面図である。
【図４】図１のＢ−Ｂ断面図である。
【図５】本発明の実施形態の作用説明図である。
【図６】本発明の実施形態の作用説明図である。
【図７】本発明の他の実施形態の中央縦断面図である。
【図８】本発明の他の実施形態の平面図である。
【図９】図７のＣ−Ｃ断面図である。
【図１０】本発明の別の実施形態の平面図である。
【符号の説明】
１　減勢槽
１０　底面
１１　流入口
１２　流出口
１３　導水溝
２　減勢壁（減勢手段）
２１　傾斜壁
２２　垂下壁
３　流入ブロック
３１　アール部
３２　傾斜部
３３　導水溝
４　堰板
１０１　流入管
１１１　水平管路
１０２　流出管
１２１　流出管路
１２２　拡大管路
１０３　排気管
【図１】
2004100284.tif 000003
【図２】
2004100284.tif 000004
【図３】
2004100284.tif 000005
【図４】
2004100284.tif 000006
【図５】
2004100284.tif 000007
【図６】
2004100284.tif 000008
【図７】
2004100284.tif 000009
【図８】
2004100284.tif 000010
【図９】
2004100284.tif 000011
【図１０】
2004100284.tif 000012